(57)【要約】【課題】テレビ信号を分配する機器が増加した場合においても、容易に対応することができる分配器を提供する。【解決手段】入力端子１２に入力された信号は、例えば３分配の分配トランス２１により３分配される。上記分配トランス２１で３分配された信号のうち、２つの信号は同軸ケーブル１３ａ、１３ｂを介して出力端子１４ａ、１４ｂから出力される。また、上記分配トランス２１で３分配された他の信号は、拡張端子切替スイッチ１６により切替えられて拡張端子１５へ送られ、あるいは終端抵抗２２により終端される。【選択図】      図２
2007259321.tif 000002
【特許請求の範囲】
【請求項１】
分配用信号が入力される入力端子と、前記入力端子に入力された信号を少なくとも３つの信号に分配する分配手段と、前記分配手段により分配された信号を出力する少なくとも２つの出力端子と、前記分配手段により分配された信号を出力する少なくとも１つの拡張端子と、前記分配手段と拡張端子との間に設けられ、前記分配手段により分配された信号を前記拡張端子あるいは終端抵抗に切替えて出力する切替スイッチとを具備することを特徴とする分配器。
【請求項２】
分配用信号が入力される入力端子と、前記入力端子に入力された信号を少なくとも２つの信号に分配する第１の分配手段と、前記第１の分配手段より多い分配数を有する第２の分配手段と、前記入力端子を前記第１の分配手段又は前記第２の分配手段に切替え接続する切替スイッチと、前記第１の分配手段の分配数に対応して設けられ、前記第１の分配手段及び前記第２の分配手段の分配端子に接続される出力端子と、前記第２の分配手段の他の分配端子に接続される拡張端子とを具備することを特徴とする分配器。
【発明の詳細な説明】
【技術分野】
【０００１】
本発明は、ＴＶアンテナ等により受信したテレビ信号をテレビ受像機やビデオデッキ、ＨＤＤレコーダ等に分配する分配器に関する。
【背景技術】
【０００２】
従来、ＴＶ放送としては地上アナログＴＶ放送（ＶＨＦ、ＵＨＦ）や衛星放送（ＣＳ／ＢＳ）が行なわれているが、更に近年では地上デジタルＴＶ放送が開始された。一般家庭では、上記各ＴＶ放送を屋根やベランダ等に設置した地上放送受信用アンテナ及び衛星放送受信用アンテナで受信し、合成して１本の同軸ケーブルにより屋内に設けられているテレビコンセントまで伝送している。そして、上記テレビコンセントに分配器（例えば、特許文献１参照。）を接続してテレビ信号を分配し、テレビ受像機の各信号入力端子、例えば最近のＣＳ／ＢＳ・地上デジタルチューナ内蔵テレビの場合には、ＣＳ／ＢＳ端子、地上デジタル端子、地上アナログ端子（ＶＨＦ／ＵＨＦ）がテレビ受像機の裏側に一列に並んでいるので、このようなテレビ受像機に好適な同一の長さの接栓付きケーブルが付属したデジタル放送に対応したテレビ信号用分配器が市販されている。例えば特許文献２には、そのようなデジタル放送信号分配用の分配器の意匠（ケース部のみ）が示されている。
【０００３】
しかし、このように分配器を用いた場合、当該テレビ受像機に新たにビデオデッキ、ＨＤＤレコーダ等の機器を増設する場合、それまで使用していた分配器を分配端子数の多いものに交換して前記機器にテレビ信号を分配しなければならない。前記の接栓付きケーブルに空きがある場合でも、ビデオデッキ、ＨＤＤレコーダ等の機器は必ずしもテレビ受像機と同一の場所に設置するとは限らないので、前記接栓付きケーブルの長さではケーブルの長さが不足し、前記機器の増設に対応できるとは限らない。
【０００４】
以上のように接続端子数を増やしたり、増設機器の設置位置がテレビ受像機から比較的に離間した位置の場合、分配器を新たに購入して所定の長さのケーブルにより信号を分配して接続することになる。また、このため予め分配端子数の多い分配器を設置しておくことも考えられるが、分配器は分配数が増加するに従って分配損失が生じることや、使用しない分配端子には終端器を接続する必要があるなど不利益な面が多いため、分配数対応した分配器を設置せざるを得ない状況にある。
【特許文献１】意匠登録第８９０８５９号公報
【特許文献２】意匠登録第１２６１６４６号公報
【発明の開示】
【発明が解決しようとする課題】
【０００５】
上記のようにビデオデッキやＨＤＤレコーダ等を増設してテレビ信号の分配数が増加する場合、従来ではそれまで使用していた分配器を分配数の多いものに交換する必要があり、分配器の交換が面倒であると共に新しい分配器を購入しなければならず、費用の面でも問題となっていた。
【０００６】
本発明は上記の課題を解決するためになされたもので、テレビ信号を分配する機器が増加した場合においても、容易に対応することができる分配器を提供することを目的とする。
【課題を解決するための手段】
【０００７】
第１の発明に係る分配器は、分配用信号が入力される入力端子と、前記入力端子に入力された信号を少なくとも３つの信号に分配する分配手段と、前記分配手段により分配された信号を出力する少なくとも２つの出力端子と、前記分配手段により分配された信号を出力する少なくとも１つの拡張端子と、前記分配手段と拡張端子との間に設けられ、前記分配手段により分配された信号を前記拡張端子あるいは終端抵抗に切替えて出力する切替スイッチとを具備することを特徴とする。
【０００８】
第２の発明に係る分配器は、分配用信号が入力される入力端子と、前記入力端子に入力された信号を少なくとも２つの信号に分配する第１の分配手段と、前記第１の分配手段より多い分配数を有する第２の分配手段と、前記入力端子を前記第１の分配手段又は前記第２の分配手段に切替え接続する切替スイッチと、前記第１の分配手段の分配数に対応して設けられ、前記第１の分配手段及び前記第２の分配手段の分配端子に接続される出力端子と、前記第２の分配手段の他の分配端子に接続される拡張端子とを具備することを特徴とする。
【発明の効果】
【０００９】
本発明によれば、終端器を装着する必要が無く、単に拡張端子切替スイッチを切替えるだけで分配数を簡単に拡張でき、テレビ信号を分配する機器が増加した場合に新しい分配器を購入することなくきわめて容易に対応することができる。
【発明を実施するための最良の形態】
【００１０】
以下、図面を参照して本発明の実施形態を説明する。  
（第１実施形態）
図１は本発明の第１実施形態に係る分配器の
外観構成を示すもので、（ａ）は平面図、（ｂ）は出力端子側から見た図である。図１において、１１は分配器のケースで、例えばモールドケースを使用している。上記ケース１１の信号入力側には例えばＦ形接栓を用いた入力端子１２が設けられる。また、ケース１１の信号出力側からは、複数例えば２本の同軸ケーブル１３ａ、１３ｂが導出され、その先端に例えばＦ形プラグを使用した出力端子１４ａ、１４ｂが装着される。上記同軸ケーブル１３ａ、１３ｂの長さは、例えば５０ｃｍ程度に設定される。
【００１１】
また、ケース１１の出力側には、例えばＦ形接栓座を用いた拡張端子１５が設けられる。また、ケース１１の上面には、拡張端子切替スイッチ１６が設けられる。この拡張端子切替スイッチ１６は、詳細を後述するように拡張端子１５を使用状態、不使用状態に切替えるものである。
【００１２】
次に上記分配器の内部の回路構成について説明する。  
図２は、上記分配器の回路構成例を示したものである。入力端子１２に入力された信号は、例えば３分配の分配トランス２１に入力されて３分配される。図２の実施形態において出力端子１４ａは、ＢＳ／ＣＳ衛星信号受信用の端子となっている。出力端子１４ａと入力端子１２との間にはチョークコイル２０ａ、チョークコイル２０ｂ、バイパスコンデンサ１９からなる直流通過回路４０が設けられて、出力端子１４ａと入力端子１２との間で直流電流の通過を可能にしている。また分配トランス２１の各端子には直流遮断用のコンデンサ１８を挿入して分配器の各端子から直流電流が分配トランス２１に流れ込まないように遮断している。
【００１３】
これにより出力端子１４ａをテレビ受像機側のＢＳ／ＣＳ衛星受信チューナの入力端子に接続すれば、前記チューナの入力端子から出力される直流電圧を衛星受信用コンバータの電源としてアンテナ側へ供給することができる。なお衛星受信用コンバータに対し電源供給が必要でない共聴システムなどからテレビ信号を得る場合は、直流通過回路は無くても良い。
【００１４】
上記分配トランス２１で３分配された信号のうち、２つの信号は同軸ケーブル１３ａ、１３ｂを介して出力端子１４ａ、１４ｂへ送られ、他の信号は拡張端子切替スイッチ１６の共通端子ｃに入力される。
【００１５】
拡張端子切替スイッチ１６は、２つの出力端子ａ、ｂと共通端子ｃを備え、共通端子ｃに上記分配トランス２１で分配された信号が入力される。そして、拡張端子切替スイッチ１６の一方の出力端子ａは拡張端子１５に接続され、他方の出力端子ｂは例えば７５Ωの終端抵抗２２を介して接地される。
【００１６】
上記のように構成された分配器は、入力端子１２を同軸ケーブルによりテレビコンセント（図示せず）に接続し、出力端子１４ａ、１４ｂをテレビ受像機の信号入力端子に接続する。そして、拡張端子１５を使用しない場合は、拡張端子切替スイッチ１６を終端抵抗２２側に切替え、分配トランス２１から拡張端子１５に分配される信号を終端抵抗２２で終端する。
【００１７】
上記の状態では、分配器の入力端子１２に入力されたテレビ信号は、分配トランス２１で３分配され、そのうちの２つの信号が同軸ケーブル１３ａ、１３ｂ及び出力端子１４ａ、１４ｂを介してテレビジョン受像機へ送られ、他の分配信号は終端抵抗２２で終端される。従って、上記分配器は、２分配器として動作する。
【００１８】
そして、ビデオデッキやＨＤＤレコーダ等を増設してテレビ信号の分配数が増加する場合は、上記分配器の拡張端子１５と増設した機器の信号入力端子との間を同軸ケーブルにより接続すると共に、拡張端子切替スイッチ１６の共通接点ｃを出力端子ｂ側に切替える。
【００１９】
上記のように拡張端子切替スイッチ１６の共通接点ｃを出力端子ｂ側に切替えることによって終端抵抗２２が回路から分離され、分配トランス２１から拡張端子切替スイッチ１６側に分配された信号は、拡張端子１５から増設機器に送られるようになる。また、上記分配トランス２１により出力端子１４ａ、１４ｂ側に分配された信号は、上記拡張端子切替スイッチ１６の切替えに関係なく、テレビ受像機へ送られる。この状態では、分配器は３分配器として動作する。
【００２０】
上記のように分配器は、単に拡張端子切替スイッチ１６を切替えるだけで３分配器として動作させることができ、分配数を簡単に拡張することができる。また拡張端子はＦ形接栓座であるので、任意の長さのケーブルを接続できるため、増設機器の設置位置に制約を受けることなく増設機器との接続が可能になる。
【００２１】
（第２実施形態）
次に本発明の第２実施形態に係る分配器について説明する。  
図３は、本発明の第２実施形態に係る分配器の回路構成例を示したものである。この第２実施形態に係る分配器は、上記図２に示した第１実施形態において、入力端子１２と分配トランス２１との間にテレビ信号を増幅する増幅器２５を設けたものである。出力端子１４ａと入力端子１２との間にはチョークコイル２０ａ、チョークコイル２０ｂ、チョークコイル２０ｃ、バイパスコンデンサ１９ａ、バイパスコンデンサ１９ｂ及び直流通過スイッチ２６により構成される直流通過回路４１が設けられているので、第１実施形態と同様に出力端子１４ａをテレビ受像機側のＢＳ／ＣＳ衛星受信チューナの入力端子に接続すれば、前記チューナの入力端子から出力される直流電圧を衛星受信用コンバータの電源としてアンテナ側へ供給することができる。
【００２２】
第２実施形態の直流通過回路４１では、前記直流電圧を図３に示す直流通過回路４１のＳ点においてチョークコイル２０ｃで分岐し、更にバイパスコンデンサ１９ｂで高周波電流をバイパスして前記増幅器２５の電源として供給している。入力端子１２には、チョークコイル２０ａ、チョークコイル２０ｂを経由して出力端子１４ａから直流電圧が供給されるが、前記テレビ端子の信号が共聴システムからのものであれば衛星受信用コンバータへの電源供給は不要なので、チョークコイル２０ｂと前記Ｓ点との間に直流通過スイッチ２６を設けて回路を遮断できるようにしている。即ち一般ホーム受信の場合は前記直流通過スイッチ２６を閉じ、増幅器２５と衛星受信用コンバータ双方に電源を供給するが、ＣＡＴＶなど共聴システムからテレビ信号を得る場合は、前記直流通過スイッチ２６を開いて増幅器２５のみに電源を供給可能にしている。
【００２３】
その他の構成は第１実施形態と同様であるので、同一部分には同一符号を付して詳細な説明は省略する。
【００２４】
上記第２実施形態によれば、入力端子１２に入力されたテレビ信号を増幅器２５で増幅しているので、分配に伴う分配損失を補償することができる。尚、本実施形態では増幅器２５の電源として、出力端子１４ａから供給される直流電圧を用いたが、ＡＣアダプタにより外部から電源を供給することも可能である。
【００２５】
（第３実施形態）
次に本発明の第３実施形態に係る分配器について説明する。  
図４は、本発明の第３実施形態に係る分配器の回路構成例を示したものである。この第３実施形態に係る分配器は、例えば２分配トランス３１と３分配トランス３２を組み合わせて使用し、入力端子１２に入力されたテレビ信号を拡張端子切替スイッチ１６ａにより切替えて２分配トランス３１あるいは３分配トランス３２に入力し、上記２分配トランス３１と３分配トランス３２の分配出力を拡張端子切替スイッチ１６ｂ、１６ｃにより切替えるようにしたものである。上記拡張端子切替スイッチ１６ａ、１６ｂ、１６ｃは、連動して動作する。
【００２６】
上記２分配トランス３１と３分配トランス３２で分配された信号は、拡張端子切替スイッチ１６ｂ、１６ｃで切替えられ、同軸ケーブル１３ａ、１３ｂを介して出力端子１４ａ、１４ｂに出力される。この場合、３分配トランス３２で分配された他の信号は、そのまま拡張端子１５に出力される。
【００２７】
上記の構成において、拡張端子１５を使用しない場合は、拡張端子切替スイッチ１６ａ、１６ｂ、１６ｃを２分配トランス３１側（出力端子ｂ側）に切替える。この状態では、入力端子１２に入力されたテレビ信号は、２分配トランス３１で２分配され、同軸ケーブル１３ａ、１３ｂ及び出力端子１４ａ、１４ｂを介してテレビ受像機へ送られる。
【００２８】
そして、ビデオデッキやＨＤＤレコーダ等を増設してテレビ信号の分配数が増加する場合は、上記拡張端子１５と増設した機器の信号入力端子との間を同軸ケーブルにより接続すると共に、拡張端子切替スイッチ１６ａ、１６ｂ、１６ｃを３分配トランス３２側（出力端子ａ側）に切替える。この状態では、入力端子１２に入力されたテレビ信号は、３分配トランス３２で３分配され、そのうちの２つの分配信号が同軸ケーブル１３ａ、１３ｂ及び出力端子１４ａ、１４ｂを介してテレビ受像機へ送られ、他の分配信号は拡張端子１５から増設機器へ送られる。
【００２９】
上記実施形態で示したように分配数に対応して２分配トランス３１及び３分配トランス３２を設け、信号の分配数に応じて拡張端子切替スイッチ１６ａ、１６ｂ、１６ｃを切替えて２分配トランス３１あるいは３分配トランス３２を選択することにより、拡張端子１５を使用しない場合には、各端子の分配損失は２分配の場合のものとなり、無駄な分配損失が生ぜず、また終端抵抗を接続する必要がないなど、テレビ信号の分配数の増加を効率的に行なうことが可能となる。
【００３０】
なお、上記第３実施形態では、増幅器を設けていないが、上記第２実施形態と同様に入力端子１２と拡張端子切替スイッチ１６ａとの間に増幅器を設けても良い。また、第３実施形態においては、電流通過の仕組みは設けられていないが、第１実施形態又は第２実施形態における電流通過回路を第３実施形態の分配器の任意の端子間に設けることは同様に実施し得るものである。
【００３１】
また、上記各実施形態では、２つの出力端子１４ａ、１４ｂと１つの拡張端子１５を設けた場合について示したが、その他、例えば出力端子を３つ以上設ける場合や、拡張端子を２つ以上設ける場合であっても同様にして実施し得るものである。
【００３２】
また、本発明は、上記実施形態そのままに限定されるものではなく、実施段階ではその要旨を逸脱しない範囲で構成要素を変形して具体化できるものである。
【図面の簡単な説明】
【００３３】
【図１】本発明の第１実施形態に係る分配器の外観構成を示し、（ａ）は平面図、（ｂ）は出力端子側から見た図である。
【図２】同実施形態における分配器の回路構成図である。
【図３】本発明の第２実施形態に係る分配器の回路構成図である。
【図４】本発明の第３実施形態に係る分配器の回路構成図である。
【符号の説明】
【００３４】
１１…ケース、１２…入力端子、１３ａ、１３ｂ…同軸ケーブル、１４ａ、１４ｂ…出力端子、１５…拡張端子、１６、１６ａ、１６ｂ．１６ｃ…拡張端子切替スイッチ、１８…コンデンサ、１９、１９ａ、１９ｂ…バイパスコンデンサ、２０ａ、２０ｂ、２０ｃ…チョークコイル、２１…分配トランス、２２…終端抵抗、２５…増幅器、２６…直流通過スイッチ、３１…２分配トランス、３２…３分配トランス、４０、４１…直流通過回路
【図１】
2007259321.tif 000003
【図２】
2007259321.tif 000004
【図３】
2007259321.tif 000005
【図４】
2007259321.tif 000006